(57)【要約】      （修正有）【課題】実包外径と起縁部の外径の割合が大きい細身実包の４１０番口径実包及び同形式でその他口径の有縁実包を使用するライフル銃あるいは散弾銃において、確実で円滑な装填を実現出来る薬室を備えた銃身と弾倉を有するライフル銃及び散弾銃を提供する。【解決手段】銃身薬室１０の起縁部当接面１２に円弧状ガイド面取りの切り欠き１２ｂをガイド面取り切り欠き開口部１２ａの略下半部全般あるいは下半部の一部分に形成する。【選択図】図１
2005180894.tif 000002
【特許請求の範囲】
【請求項１】
全長に比して薬莢直径が細い円柱状の４１０番起縁実包及び同様の形状を有する他口径の実包を使用するライフル銃及び散弾銃の銃身において、同銃身薬室の起縁部を当接させる起縁部当接面に円弧状ガイド面取りの切り欠き開口部を設け、前記円弧状ガイド面取り切り欠き開口部の縁部に、該開口部に遊底下側の弾倉から実包が斜め上に挿入される全長に比して薬莢直径が細い円柱状の４１０番起縁実包及び同様の形状を有する他の口径実包を確実に薬室内に導くガイド面取り切り欠き開口部を、全周あるいは円弧状のガイド面取り切り欠きを開口部の略下半部全般あるいは下半部の一部分に形成している事を特徴とする薬室部の銃身を有するライフル銃及び散弾銃
【請求項２】
請求項１の薬室に連なる弾倉上部の実包抑え部分（以下、弾倉リップと表記する）開口部の角度の変化を、従来公知の弾倉リップの形状が略平行状に形成されていた事に比較して、同弾倉リップの開口部の広がりを大きく鈍角に形成し、併せて短く設ける事で、遊底下部の弾倉から薬室内に斜め上に挿入される実包は、遊底先端の実包を固定する部分である包底面に水平で同心な姿勢に素早く固定される為、不安定な姿勢で摺接することが無く、斜め上を向いた不安定な姿勢で移動させられる距離も短縮し、薬室内の奥まで装填されない中途半端な状態の装填不良状態を起こす事が無く、正確に薬室に装填される事を実現したライフル銃及び散弾銃
【請求項３】
上記銃身は、ライフル銃用及び銃腔長さの２分に１以下の長さにライフリング部を薬室側に有する散弾銃用銃身を含むライフリング施工の銃身にあって、上記ライフリング溝の深さを、１５分の１ｍｍ乃至２５分の１ｍｍの範囲内とすると共に、該ライフリング溝の谷底面を前記散弾銃用ライフリング銃身部の滑腔則の内周面と面一にした事を特長とする、請求項１記載のライフリングを施された銃身
【発明の詳細な説明】
【発明の詳細な説明】
【発明の属する分野】
【０００１】本考案は、狩猟や射撃に用いられる銃に関し、特に遊底下部の弾倉から薬室内に実包が斜め上に挿入される散弾銃及びライフル銃の銃身と弾倉に関するものである。
【背景技術】
【０００２】従来、狩猟や射撃に用いられる銃の銃身は、銃腔の略全長にわたってライフリングを有するライフル銃用銃身と銃腔内が円滑な散弾銃用銃身が、一般的である。又、近年では、散弾銃用銃身に、銃腔全長の２分の１未満の部分にライフリングを形成することで、散弾銃用銃身に単弾を使用した場合に良好な命中精度が得られる散弾銃用銃身（実用新案登録第３００１１４２、あるいは同３０１２７３４号を参照）が、公知の銃身として普及している。そして、これらの銃は、薬室へ弾倉から遊底下部に摺接して実包を装填する機構として、ボルトアクション式、スライドアクション式、レバーアクション式、銃身後退式、ガス圧遊底後退式等、種々の態様があり、各々の特徴に基づく用途に利用されている。【０００３】しかしながら、上記従来の弾倉及び薬室を有する銃身のライフル銃及び散弾銃において、全長に比して薬莢直径が細い円柱状の４１０番口径用実包及び同形式の特長を有する起縁薬莢単弾又は散弾の何れかを用いる場合、遊底下部から薬室内に斜め上に挿入される同実包が薬室へ装填の際、縦方向の角度が大きい事と弾倉内と遊底の移動する空間で上下左右に隙間がある為、斜めの状態のまま遊底と薬室入り口の壁部の角となるロッキング・リセスに不安定な姿勢で摺接する事となり、不安定な姿勢で実包先端の角が引っ掛かり易い状況が起こり、実包が薬室の奥まで充分に装填されない中途半端な状態を呈す装填不良を生じ、撃発出来なくなる不具合が発生する場合が有り、狩猟現場や射撃場に於いて、同形式の実包を下部弾倉より装填する散弾銃及びライフル銃の発射性能に対する信頼性を欠く原因の一つとして恐れられ、円柱状の起縁実包を使用する同ライフル銃及び散弾銃の評価を引き下げる一因となっていた。【０００４】又、従来のライフリングを有する銃身の場合、同銃身で発射された弾頭の外周面にライフリング溝による傷を刻み込む事により、急速な回転を付与し、良好な低伸性と命中精度を与える性能を実現させていたが、反面、特に銃口側に銃腔全長の２分の１未満の部分にライフリングを有する散弾銃用銃身の場合、弾頭外周部とライフリング溝の隙間から先行した燃焼ガスが弾頭前方に漏出する為、弾頭はライフリング部に到達して、ライフリング溝により回転力と加速力を与えられるが、銃身のライフリング溝の深さによっては、ライフリング溝が深い場合、滑腔部の隙間から先行した燃焼ガスがライフリング部での弾頭の更なる加速の妨害となったり、弾頭がライフリングに到達の瞬間、同弾頭進行の抵抗となり、急激に銃本体の強度を上回る腔圧迄上昇し、銃自体の安全性を損ねる可能性を生じる為、弾丸の威力と命中精度の低下と射手の危険を招く問題を有していた。
【発明が解決しようとする課題】
【０００５】全長に比して薬莢直径が細い円柱状の４１０番口径用実包は金属性薬莢およびプラスチック製薬莢共、散弾銃用実包特有の起縁薬莢であるが、特に４１０番口径用実包の場合、同実包の起縁部の外径と同実包本体外径との割合が、１２番口径用実包あるいは２０番口径用実包等の起縁部と、同じく１２番あるいは２０番口径等実包本体外径との割合と比較して大きい為、遊底受筒に押され、弾倉のリップに摺接して薬室内へ装填される際、４１０番口径用実包が弾倉から遊底先端の包底面に嵌合されるまでの間は、弾倉と薬室入り口部の切り欠き開口部に対して起縁実包特有の不安定な姿勢になり易く、ロッキング・リセスの薬室側の壁に突き当り、引っ掛る装填不良の原因として、４１０番口径散弾銃の信頼性を損ねる評価の一因ともなっていた。
【０００６】しかし、４１０番口径散弾銃は、発射時の反動が軽く、命中精度が高いという特性があり、しかも「日本の様に複雑で狭隘な地形の中で、その上、多種多様な狩猟対象鳥獣が混在する風土において使用するには、最適な性能の猟銃である」との評価があるにも関らず、前述の通り、同形式の実包を下部弾倉より装填する４１０番口径散弾銃の場合、実包先端の角がロッキング・リセスの空間で不安定な姿勢になり易く薬室の壁に引っ掛かり易く、薬室内の奥まで充分に装填されない中途半端な状態を呈す装填不良を生じ、撃発出来なくなる不具合が発生する場合が有り、狩猟現場や射撃場に於いて、４１０番口径散弾銃の普及を阻害する一因となっていた。
【０００７】本考案は、上記従来事情を鑑みて、先に特願２０００−１５１５７８を申請したが、更に確実で円滑な装填を実現する為、銃身に設けられている薬室と弾倉リップ部に対して更に為された改良であり、適正な深さのライフリング溝を有し、実包の装填性が良い薬室を有する銃身と弾倉のライフル銃及び散弾銃の銃身を提供することである。
【０００８】特に、弾倉リップ長の短縮による形状変更は、起縁実包が弾倉から遊底先端に押され、薬室へ装填される際の斜めで不安定な姿勢になる状況を短縮し、包底面に素早く固定出来る為、起縁実包は薬室に対しても同様に素早く同軸になり、確実な薬室への装填が実現するので、円柱状の起縁実包を使用のライフル銃及び散弾銃の装填不良の解消と弾倉内で実包の落ち着きの良い弾倉の提供は、同形式のライフル銃及び散弾銃の信頼回復を実現したものである。
【課題を解決する為の手段】
【０００９】上記課題を解決する為、本考案の技術的手段として請求項１は、銃身の後部側開口部薬室に遊底下部の弾倉から円柱状の起縁実包が、包底面に嵌合され遊底受筒部前部の空間を通じて、斜め上に向けて装填されるライフル銃及び散弾銃において、前記全長に比して薬莢直径が細い円柱状の実包の起縁部を当接させる起縁部当接面開口部の縁全周囲に、実包を確実に薬室内へ導くガイド面取り部を形成している事を、特徴とする。
【００１０】又、請求項１では、上記ガイド面取り部は、上記開口部の略全周に形成されている事を特徴とするが、略下側半分の下縁部だけに形成する事でも構わない。本考案の手段によれば、例えば略下側半分の下縁部だけに形成した場合、全長に比して薬莢直径が細い円柱状の実包は、薬莢外周面の略下半分のガイド面取り部に案内される事で、薬室開口部略下側半分下縁部との接触面が増大し姿勢が安定する為、全長に比して薬莢直径が細い円柱状の４１０番口径用起縁実包は、円滑で確実な薬室内への挿入を実現する。
【００１１】、従来の遊底下部の弾倉に収められた実包は、薬室への装填の際、ボルトに実包底部を押されて、弾倉から薬室内へ斜め上に向けて挿入される動きを開始する。その際、実包は弾倉バネの働きを下部から受ける為、起縁薬莢特有の形状により、先に弾倉を離れる実包先端は、上向きの傾向を現す。その際、実包先端がロッキング・リセス部の空間で薬室の上端部より更に上に向き過ぎる場合がある。その際、実包は薬室壁上部に引っ掛り、それ以上薬室内に挿入出来ない装填不良状態を惹起する事があった。
【００１２】上記
【００１１】の技術的手段によれば、本考案において、装填されようとする実包は、切り欠きの幅が漸次拡大している装弾押さえの弾倉リップに抑えられてその薬莢起縁部外周面が案内される為、弾倉バネの作用で実包の前進に伴い実包後部の起縁部も徐々に浮き上がり、弾倉リップの切り欠きの幅が起縁部分より広くなった位置で、同起縁実包は弾倉を完全に離れる。本考案において、従来の弾倉リップを略１５ｍｍ短縮する事でその挿入を開始した実包は、遊底先端包底面下部に押され始めた時から斜め上の空間に向けて平行に近い姿勢で浮き上がって移行する事で、同実包の先端は浮き上がる不安定な状況に陥る事が無く、実包と包底面の嵌合は弾倉バネの作用で確実に早まり、同実包の先端は、薬室内へ導くガイド面取り部を薬室入り口の角を切り欠き形成した事で得られる線接触による安定性の向上と弾頭先端が切り欠きの分だけ下がり、ロッキング・リセス部のでの接触が解消される等との相乗効果で、挿入される実包は円滑な挿入装填を、獲得する。
【００１３】即ち、従来の弾倉リップが、弾倉内での実包の安定の為に定められていた長さと切り欠き部の形状を有していたが、従来の形状では起縁実包に対して、弾倉リップの抑え効果と相反する弾倉から薬室への装填動作には不適切な形状であった。又、弾倉リップ切り欠きの角度も、従来の弾倉リップは切り欠きの角度が少なく、平行に近い形状であった事と比較して、本考案は、弾倉リップ切り欠きの角度を鈍角に変更する事で、起縁実包はボルトに押され前進するに連れ平行に近い姿勢で上昇する為、従来公知の弾倉より素早く包底面に確実に固定される事で、起縁実包は斜めの状態のままで遊底と薬室入り口の壁部ロッキング・リセスの角に不安定な姿勢で摺接する事が無く、薬室の中心に同心となるので、薬室内の奥まで装填されない中途半端な状態となる装填不良を起こす事を防止し、起縁実包の確実で円滑な薬室内への装填が実現される効果を実現した。
【００１４】即ち、従来の散弾銃及びライフル銃の銃身において、全長に比して薬莢直径が細い円柱状の起縁実包は、遊底下部の弾倉から薬室内に挿入される際、その先端の弾頭部分や弾頭と薬莢の接続部分等、表面が屈曲及び段差を有する状態の部位が薬室内の内周上面に摺接すると、薬室に挿入されようとする全長に比して薬莢直径が細い円柱状の起縁実包は、有底先端の包底面に押されているだけの確実に固定されていない、斜めで不安定な状態のままで、その円柱状の起縁実包外周面の下半部を薬室開口縁の下半部の角に接触している。しかも、その接触が点接触であった為、前記部分で装填の度に異なる摺接抵抗を受けると、円柱状起縁実包の先端は被装填時に、包底面前方と弾倉上部の空隙に向かい、不安定な姿勢となり易く、前記摺接抵抗の変化を受けて、包底面前方の空隙内で上下左右不規則に振られる状況が発生する可能性と現象を含んでいた。
【００１５】従って、その円柱状の起縁実包は薬室へ挿入される際、挿入姿勢の不安定さと摺接抵抗の変化が原因となって、挿入の角度や方向が変わり易く、起縁実包は薬室内の奥までスムースに挿入されず、装填不良発生の原因となるにも関らず、従来の弾倉リップの形状は、ライフル銃用実包を装填する弾倉の形状と略同型を採用しており、円柱状の起縁実包専用の弾倉リップに適した形状に変更する工夫が見られなかった。
【００１６】即ち、中でも、前述
【０００５】及び
【０００６】の通り、全長に比して薬莢直径が細い円柱状の４１０番口径散弾銃用実包特有の起縁部外径と同実包本体外径の割合は、１２番口径用実包あるいは２０番口径用実包等の起縁部と同実包本体外径の割合に比較して大きくなる故に、弾倉から薬室内に装填される際、円柱状の起縁実包の作る上向きの角度が大きくなり、先端の角や起縁部の角が強調され、引っ掛りやすくなり、それが装填不良の原因となり、４１０番口径散弾銃の信頼性を損ねる一因となっていた。
【００１７】下記（表１）にて、代表的な円柱状の実包として１２番口径用実包と４１０番口径用実包の外形寸法の比較を表し、両者の起縁部と実包胴体の直径の差が作り出す、割合の違いを表現した。（表１）▲５▼の数値が、１２番口径用起縁実包と４１０番口径用起縁実包の割合の違いで、その数値（１．１２：１．１７３９〜１．１５３８）の通り、明らかに４１０番口径用起縁実包の方が大きく、円滑な装填に不利である事が判明した。
2005180894.tif 000003
※薬莢の材質を表した。現在流通の実包は、１２番口径用の場合、プラスチック製薬莢装弾が殆どであるが、４１０番口径用実包の場合、プラスチック製薬莢装弾と金属性薬莢装弾の２種類で流通している為、両者の寸法で比較明記をした。
【００１８】本考案は、全長に比して薬莢胴体部の直径が細い円柱状の起縁実包の装填不良が、前記のようなメカニズムに起因することを知見し、薬室における開口部に、上記円弧状のガイド面取り部を形成する事と共に弾倉リップの形状変更によって、全長に比して薬莢胴体部の直径が細い円柱状の起縁実包は、素早く包底面に固定され、薬室中心軸線と同心になり、上下左右に不安定に振られることが無く、安定した姿勢を得て、円滑で確実に挿入される事を、実験で確認実証し、完成させた。
【００１９】請求項２の本考案による弾倉は、既存使用中のライフル銃及び散弾銃の弾倉と互換性を有しており、弾倉そのものの交換が容易で、使用中の銃に即適用出来る事を特徴とする。
【００２０】又、請求項３では、従来公知のライフル銃においては、略１０分の１ｍｍの溝深さのライフリングが殆どであったが、上記１５分の１ｍｍ乃至２５分の１ｍｍの溝深さのライフリングを有する銃身がライフル銃及び散弾銃に対して効果的であり、命中精度の維持と射手の安全性の確保を実現した事を、特徴とする。
【００２１】尚、上記ライフリング溝の深さが、１５分の１ｍｍより大きい場合、弾頭外周面に付く傷が深くなり、弾頭が銃腔を進行する抵抗も増え、高圧の火薬燃焼ガスは溝と弾頭の隙間を通って前方に漏出する量も増加する。その場合、先に漏れ出した燃焼ガスが、弾頭加速の抵抗になり、弾速と命中精度の低下の原因となる。又、２５分の１ｍｍよりも小さい溝深さの場合には、銃腔内を通過する弾頭は、ライフリング溝との摺接が少なくなり、充分な回転力を得られず、弾道が不安定となり、使用実包の持つ本来の威力と命中精度を得られなくなるので、本考案においては、略２０分の１ｍｍが好ましい溝深さとして、想定している。
【００２２】又、
【００２１】及び
【００２２】は、ライフリングを銃身の薬室側に設ける事を、前提に記述したが、ライフリングを銃身の銃口側に設ける場合にも、理想的なライフル溝深さとして、有効に作用する。
【００２３】薬室側を滑腔とし、銃口側にライフリングを設けた場合、発射された弾頭は、先ず滑腔部で加速されるが、ライフリング部に到達の瞬間、弾頭進行の抵抗となり、急激に銃本体の強度を上回る腔圧迄上昇し、銃自体の安全性を損ねる可能性を生じる為、ライフリング部にての貫入抵抗と弾頭の回転力・直進性維持の均衡と銃本体及び射手の安全確保の意味からも、略２０分の１ｍｍを最適のライフル溝深さとして、選定した。
【発明を実施するための最良の形態】
【００２４】以下、本考案の実施の形態を、図面に基づいて説明する。図１乃至６は、本考案に関わるライフル銃及び散弾銃の銃身及び弾倉等の各部品の形状と作用を示す。【００２５】この銃身Ａは、後端側の薬室１０と、該薬室１０の前方側に連絡された銃腔部２０とを有し、薬莢３５ａの外径を有する、全長に比して薬莢直径が細い円柱状の実包は、４１０番口径或いは同様の特徴を有する他口径の円柱状の起縁実包３５が、薬室１０内に装填されるように構成してある。【００２６】先ず、銃腔に設けられるライフリングについて、記述する。公知のライフリング溝１２ｂの深さは、通常のライフル銃及び銃腔部全長の２分の１未満の部分にライフリングを有する散弾銃用銃身の場合、共に概ね１０分の１ｍｍに設定されている。しかし、本考案の形態の銃身において、前記各ライフリング溝の溝深さを１５分の１ｍｍ乃至２５分の１ｍｍの範囲内とし、特に好ましくは略２０分の１ｍｍに設定している。【００２７】この設定は、銃腔部全長の２分の１未満の部分にライフリングを有する散弾銃用銃身の場合の、銃口側あるいは薬室部側の何れにライフリングを施しても、同様にライフリング溝２１ｂの谷底面と内周面側と面一を保つ事で、火薬燃焼ガスの弾頭前方への漏れ出しによる弾頭加速力の減衰や命中精度の低下を抑止する効果を、有する。【００２８】又、ライフリング数は、任意の複数条数で良いが、公知の通り、概ね４〜８条の間で施工する事が好ましい。【００２９】次に薬室１０は、薬莢３５の形状に倣って、銃身Ａの包底面１０ａに凹設されると共に、同起縁部当接面１１に当接させるように成形した起縁部収納部として、この起縁部当接面１１の中央に存在すると共に、起縁部３５ｂを除く薬莢３５の形状に倣って、略中空筒状に形成された筒状部からなる（図１及び図２参照）。【００３０】前記起縁部当接面１１中央の筒状の開口部１２ａには、その略全周にわたるガイド面取り部１２ｂあるいは、下側のみに円弧状ガイド面取り部１２ｂが形成されている。【００３１】この円弧状ガイド面取り部１２ｂは、フライス盤により加工され、詳細には、４１０番口径散弾銃用起縁金属実包３５の胴部３５ｂと略同外径のフライスを傾斜させ、その傾斜した刃面でもって前記開口部１２ａの外縁部角を切削し、該切削面を、４１０番口径散弾銃用起縁金属実包３５が挿入される際の摺接抵抗を軽減すべく研磨してなり、同４１０番口径散弾銃用起縁金属実包３５が傾斜した状態で、その薬莢胴部３５ｂと略同心円の円弧状切り欠き開口部１２ｄに摺接させることで線接触となり、４１０番口径散弾銃用起縁金属実包３５の挿入時の姿勢に安定を得られる様に形成した事を、特徴とする。【００３２】この円弧状ガイド面取り部１２ｂにおける傾斜角度α（図１及び２参照）と、筒状薬室部１０内面の下端から該ガイド面取り部１２ｂの下端までの寸法Ｗと（図２参照）は、全長に比して薬莢直径が細い円柱状の４１０番口径散弾銃用起縁金属実包３５或いは同様の特徴を有する他口径の起縁実包３５▲１▼の装填性に応じて適宜調整し提供されるが、本実施形態の好ましい一例では、前記傾斜角度αを略４５度に設定すると共に、前記寸法Ｗを５．５ｍｍ以下、更に好ましきは３．５ｍｍ以下の範囲��で設定する事で銃身および薬室の強度の維持する事を、特徴としている。【００３３】尚、このガイド面取り部１２ｂは、全周囲に対する施工が基本であるが、特に好ましい一例として、前記薬室開口部１２ａの略下半分側に設けた図示例であるが、少なくとも薬室開口部１２ａの下縁部側に設けるようにすれば、上記態様に限定されるものではない。例えば、図２の如く円弧状ガイド面取り部Ｗａを薬室開口部１２ａの下側縁の３分の１乃至４分の１の範囲内で設ける事でも、対応出来る。【００３４】又、このガイド面取り加工は、【００３３】の通り、薬室開口部１２ａの全周縁Ｗｂに施す事が基本であるが、銃各々の個性・特徴に適合させた対応が可能であり、新規製作のライフル銃および散弾銃のみならず、既存で使用中のライフル銃及び散弾銃の銃身部でも加工出来る柔軟性を有する技術である事を、特徴とする。【００３５】４１０番口径散弾銃用起縁金属実包３５は、真鍮製の薬莢３５ａ内に火薬等の所定部材を収納し、金属弾頭３５ｃをカシメてなる全長に比して薬莢直径が細い円柱状の４１０番口径散弾銃用起縁金属実包３５或いは同様の特徴を有する他口径の実包３５▲１▼であり、プラスチック製および紙製薬莢の既製実包及び手詰めの実包、何れであっても構わない。【００３６】而して、上記構成の銃身Ａによれば、遊底１３の先端の包底面１３ａに組み付けられ装填される際、４１０番口径散弾銃用起縁金属実包３５は、遊底１３下側から薬室１０の筒状部１２内に斜めに挿入される。その装填される際の斜めの状態で、４１０番口径散弾銃用起縁金属実包３５の先端部分等を薬室１０の筒状部１２内周上面に摺接するが、薬莢胴部３５ａが、円弧状ガイド面取り部１２ｂに導かれ案内される為、上下左右に振られる事が無く、４１０番口径散弾銃用起縁金属実包３５を、薬室１０の筒状部１２内奥の所定位置まで、円滑に挿入させる効果を実現した。【００３７】又、上記構成の銃身Ａが組み付けられる銃における装填機構は、実包３５を遊底下側の弾倉から薬室１０内に、斜め上に向けて挿入する様式のものであれば、ボルトアクション式、スライドアクション式、レバーアクション式、銃身後退式、ガス圧遊底後退式等、公知の装填機構の何れであっても構わないが、ボルトアクション式の装填機構にての適用が、好ましい。【００３８】本考案の弾倉リップ３１ｃは、従来公知の弾倉の形式を踏襲しているが、弾倉上部の装弾押さえリップ３１ｃは略１５ｍｍ短縮し、又、同リップ先端に設けられている隙間の形状３３を、従来の形状３１ｃより鈍角に形成３１ｂする事で、遊底１３前部の包底面１３ａ下部に押されて薬室１０へ装填される際、４１０番口径散弾銃用起縁金属実包３５が斜め上に向けられる角度を、従来の弾倉からの装填と比較して緩やかにすると共に、斜め上を向いた不安定な姿勢で挿入される状態を短縮し、遊底１３先端の４１０番口径散弾銃用起縁金属実包３５を咥える包底面１３ａに素早く水平な姿勢で確実に固定し、薬室１０に同心になる為、正確に装填される効果を実現した。【００３９】尚、上記細身の散弾銃用起縁金属実包は、真鍮製の薬莢を用いた４１０番口径単弾実包の例示だが、本考案の銃身Ａは、プラスチック製および紙製薬莢を用いた４１０番��径散弾実包に於いても同様、効果的に作用を示す。
【発明の効果】
【００４０】本考案は、前項
【００２４】から
【００３９】にての説明通りに構成されているので、以下に記載されるような効果を奏する。
【００４１】
【請求項１】
は、遊底下側の弾倉から薬室に向け、斜め上方に向けて挿入される起縁実包は、その薬莢外周面の下側が円弧状ガイド面取り部に線接触で案内される為、起縁実包先端の角や弾頭の接続部等がロッキング・リセス入り口内周上面からの摺接抵抗を受けても、左右へのブレが起こらず、斜めのまま遊底と薬室との境界であるロッキング・リセスの奥側の壁に引っ掛ったり、薬室内の所定の位置まで装填されずに中途半端な状態になる装填不良を惹起させる事がない、円滑で確実な装填を実現するライフル銃及び散弾銃の薬室を有する銃身を提供する事を実現する。
【００４２】
【請求項２】
ついては、弾倉リップの形状変更による実包装填の確実性の向上は、上記円弧状ガイド面取り部を、薬室開口部の下方略半分に形成する事で、実包の摺接ガイドラインが線接触となり確実となる為、実包の姿勢を安定させる事との相乗効果で、起縁型実包の装填を円滑で確実な実現を得る。特に４１０番口径散弾銃の評価を低下させる要因であった装填不良の原因を排除した事は、同４１０番口径散弾銃の信頼を回復させ、日本の地形や狩猟対象鳥獣に適合した性能の銃として、適正な銃器使用に貢献出来る。重ねて、適正な性能の銃器の使用は、過大な射程による危険を回避し、筒先の安全確保と共に、上記銃身と弾倉を４１０番口径散弾銃に採用するによって得られる設計の合理化で、細身の銃身による軽量化も可能となり、狩猟現場における行動性を向上させる事に貢献出来る。しかも、現用のライフル銃及び散弾銃に対しても、弾倉自体の交換あるいは改造で対応出来る事に特徴を有す。
【００４３】
【請求項３】
の銃身は、ライフル銃用及び銃腔長さの２分に１以下の長さのライフリング部を薬室側に有する散弾銃用銃身を含むライフリング施工の銃身であって、上記ライフリング溝の深さを、１５分の１ｍｍ乃至２５分の１ｍｍの範囲内とすると共に、該ライフリング溝の谷底面を前記散弾銃用ライフリング銃身部の前方側における銃腔前半側の内周面と面一にした事を特長とする。この場合、ライフリング溝の深さは、前述
【００２０】
【００２１】及び、
【００２３】にて記述の通り、銃の安全性の確保、弾丸の命中精度・低伸性の維持のために、略２０分の１ｍｍが最も好ましく、請求項１乃至２何れか１項記載の加工を施された銃身及び弾倉の事である。
【図面の簡単な説明】
【図１】本考案に関するボルトアクション式散弾銃の銃身及び薬室の要部拡大断面図である。
【図２】本考案に関する同銃身薬室の切り欠き加工部分の後方視野の平面図である。
【図３】本考案に関する同銃身薬室の切り欠き加工部分での挿入途中経緯状況図である。
【図４】従来公知の銃身の薬室部分での挿入時の装填不良発生状况図である。
【図５】弾倉リップ形状上方視野平面の比較図である。（点線は、従来公知の弾倉リップを表す）
【図６】ライフル銃用有縁実包と散弾銃用有縁実包の平面半断面図である。  （▲１▼金属性薬莢、▲２▼プラスチックあるいは紙製薬莢）
【符号の説明】
Ａ：銃身
Ｂ：銃腔
Ｗ：薬室ガイド面取り部（概ね３．５〜５．５ｍｍの寸法）加工外側線  Ｗａ：下部側のみの面取り幅
Ｗｂ：全周囲面取り加工の場合の部位    Ｗｃ：下部側のみの面取り加工の場合の部位
Ｌ：改良した弾倉リップの長さ          Ｌａ：従来の弾倉リップの長さ（点線）
Ｌｂ：改良した弾倉リップの開口状態    Ｌｃ：実包の開放される位置
α：薬室ガイド面取り部の加工部位（切り欠き加工角度＝４５度）
１０：薬室    １０ａ：本考案の銃身当接面    １０ｂ：従来の銃身当接面
１１：起縁部当接面（薬室の入り口の壁）
１２：薬室の当接面  １２ａ：薬室の開口部  １２ｂ：本考案の薬室ガイド面取り加工部（下部側加工の場合）
１２ｃ：従来の薬室ガイド    １２ｄ：本考案の薬室ガイド面取り加工部角度（α＝４５°）
１２ｄ▲２▼：従来の薬室下部ガイド角度（＝９０°）
１３：遊底（１３▲１▼〜１３▲３▼は、ボルトの移動状態を示す。）  １３ａ：包底面（ボルトヘッド）
１３ｂ：ボルトハンドル    １３ｃ：遊底下部の加工部
１４：ボルト・ロッキングリセスおよびブリーチ・ロック部
１４ｂ：ブリーチ・ロック外周縁    １４ｄ：ブリーチ・ロック内周縁
１５：起縁散弾用実包（１５；▲１▼〜１５；▲３▼は、起縁散弾用実包の挿入装填時移動状態を示す。）
２０：銃腔部｛ライフル銃の銃身においては、銃身全長にライフリングを有す。散弾銃の銃身においては、銃身全長の２分の１未満にライフリングを有し、残りの銃身部が滑腔、あるいは全長が滑腔。｝
２１：ライフリング部    ２１ａ：滑腔部    ２１ｂ：ライフリング溝
３０：散弾銃用実包      ３０ｂ：弾頭（単弾あるいは散弾）
３１：弾倉    ３１ａ：弾倉バネ    ３１ｂ：本考案の弾倉リップ    ３１ｃ：従来の弾倉リップ（点線）
３３：実包が開放されるのに必要な隙間    ３３ａ：本考案の弾倉リップによる実包が開放される位置
３３ｃ：従来の弾倉リップによる実包が開放される位置  ３３ｄ：本考案による短縮距離（略１５ｍｍ）
３４：ライフル銃用実包  ３４ａ：金属薬莢胴部  ３４ｂ：無起縁部（リムレス・タイプ）  ３４ｃ：弾頭
３５：４１０番口径散弾用起縁金属実包
（１５▲１▼〜１５▲３▼は、挿入装填時の移動状態、１５▲４▼は、装填不良時の状況を示す．）
３５ａ：薬莢胴部  ３５ｂ：起縁部（リムド・タイプ）
３５▲１▼：１２番口径用散弾用起縁実包
【図１】
2005180894.tif 000004
【図２】
2005180894.tif 000005
【図３】
2005180894.tif 000006
【図４】
2005180894.tif 000007
【図５】
2005180894.tif 000008
【図６】
2005180894.tif 000009